(57)【要約】【課題】通気抵抗を小さくすることができ、それでいて、汚れ捕獲能力を高いものにすることができる通気用ダクトの構造、フィルター及びダクト材を提供する。【解決手段】周壁が蛇腹構造でフレキシブルに構成された筒状フィルター２が、ダクト１内にダクト１の延びる方向に沿うようにして備えられている通気用ダクトの構造及びそのフィルターで解決される。また、周壁が蛇腹構造でフレキシブルに構成された筒状フィルター２が、同じく周壁が蛇腹構造でフレキシブルに構成されたダクト１内にダクトの延びる方向に沿うようにして備えられているダクト材３でも解決される。【選択図】      図１
2005106401.tif 000002
【特許請求の範囲】
【請求項１】
周壁が蛇腹構造でフレキシブルに構成された筒状フィルターが、ダクト内にダクトの延びる方向に沿うようにして備えられていることを特徴とする通気用ダクトの構造。
【請求項２】
筒状をしており、周壁が蛇腹構造でフレキシブルに構成されていることを特徴とする通気ダクト用フィルター。
【請求項３】
周壁が蛇腹構造でフレキシブルに構成された筒状フィルターが、同じく周壁が蛇腹構造でフレキシブルに構成されたダクト内にダクトの延びる方向に沿うようにして備えられていることを特徴とする通気用ダクト材。
【請求項４】
筒状フィルターが、ダクト内にダクトの延びる方向に沿うようにして備えられていることを特徴とする通気用ダクトの構造。
【発明の詳細な説明】
【技術分野】
【０００１】
本発明は、通気用ダクトの構造及び同ダクト用フィルターに関する。
【背景技術】
【０００２】
換気のため、例えば、図３に示すように、屋外の空気を室内５１に取り入れるのにダクト５２を用いることがあり、その場合に、外気には種々の汚れが含まれることから、屋外側の給気口や室内５１側の吹出口５３にはフィルター５４を設置し、外気中の汚れが屋内に侵入しないようにすることは、従来より行われている。
【発明の開示】
【発明が解決しようとする課題】
【０００３】
しかしながら、従来のフィルター５４は、面状をしていて、空気の流れと対面するように設置され、空気がフィルター５４を貫通して通るようになされていたため、通気抵抗を小さくしようとするとフィルター５４の汚れ捕獲能力が落ち、フィルター５４の汚れ捕獲能力を高くしようとすると通気抵抗が大きくなってしまい、両者を両立させるのが非常に難しいという問題があった。
【０００４】
本発明は、上記のような問題点に鑑み、通気抵抗を小さくすることができ、それでいて、汚れ捕獲能力を高いものにすることができる通気用ダクトの構造及び同ダクト用フィルターを提供することを課題とする。
【課題を解決するための手段】
【０００５】
上記の課題は、周壁が蛇腹構造でフレキシブルに構成された筒状フィルターが、ダクト内にダクトの延びる方向に沿うようにして備えられていることを特徴とする換気用ダクトの構造によって解決される。また、筒状をしており、周壁が蛇腹構造でフレキシブルに構成されていることを特徴とする通気ダクト用フィルターによって解決される。
【０００６】
即ち、フィルターが筒状をしているので、フィルターがダクト内にダクトの延びる方向に沿うように備えられることで、通気抵抗を小さくすることができ、それでいて、ダクト内空間をその延びる方向において利用することができて、空気とフィルターとの接触面積を広く確保でき、汚れ捕獲能力を高いものにすることができる。
【０００７】
しかも、周壁が蛇腹構造に構成されているので、空気との接触面積を非常に広く確保することができ、その面からも高い汚れ捕獲能力を発揮することができ、加えて、蛇腹構造でフレキシブルに構成されているので、ダクトの曲がりに容易に追従することができて、ダクトへのフィルターの組込みを容易に行うことができる。
【０００８】
また、上記の課題は、周壁が蛇腹構造でフレキシブルに構成された筒状フィルターが、同じく周壁が蛇腹構造でフレキシブルに構成されたダクト内にダクトの延びる方向に沿うようにして備えられていることを特徴とする通気用ダクト材によって同様に解決される。
【０００９】
しかも、このダクト材では、これを用いて通気ダクトの施工を行うことにより、同時にフィルターの組込みも終えることができ、しかも、周壁が蛇腹構造でフレキシブルに構成されたダクトのフレキシブル性がフィルターによって損なわれることもない。
【００１０】
なお、上記の課題は、基本的には、筒状フィルターが、ダクト内にダクトの延びる方向に沿うようにして備えられていることを特徴とする通気用ダクトの構造によって解決される。
【発明の効果】
【００１１】
本発明は、以上のとおりのものであるから、通気抵抗を小さくすることができ、それでいて、汚れ捕獲能力を高いものにすることができる。
【発明を実施するための最良の形態】
【００１２】
次に、本発明の実施最良形態を図面に基づいて説明する。
【００１３】
図１に示す通気ダクトの構造において、１は通気用ダクトであり、該ダクト１は、蛇腹構造のいわゆるフレキシブル管からなっていて、その内部に、フィルター２が備えられている。
【００１４】
該フィルター２は、図２（ロ）に示すように、筒状をしており、周壁が蛇腹構造をしていてフレキシブルに構成されており、図２（イ）（ハ）（ニ）に示すように、伸縮させたり、屈曲させたりすることができるようになされていて、図１に示すように、ダクト１内においてダクト１の延びる方向に沿うようにして備えられている。なお、フィルター２は、不織布に炭を含ませたカーボン吸着フィルターなど、各種のものからなっていてよい。
【００１５】
本実施形態では、上記のフィルター２がダクト１内にダクト１の延びる方向に沿うようにして予め備えられた通気用ダクト材３を用いて、ダクト１の施工が行われている。
【００１６】
そして、上記のダクト１は、一方の端部が図示しない屋外給気口に接続され、もう一方の端部が、図１に示すように、屋内側の天井４の吹出口５に接続され、図示しないファンを駆動することにより、屋外の空気がダクト１内を通じて室内６に送り込まれるようになされている。
【００１７】
この通気状態において、フィルター２は筒状をしており、ダクト１内にダクト１の延びる方向に沿うように備えられているので、通気抵抗は小さく、それでいて、ダクト１の内の空間をその延びる方向において有効に利用してフィルター２の設置が行われていると共に、フィルター２は蛇腹構造をしているので、空気とフィルター２との接触面積が広く確保され、汚れ捕獲能力を非常に高いものにすることができる。
【００１８】
なお、空気は、筒状フィルターの内周側を通るようになっていてもよいし、内周側と外周側の両方を通る用になされていてもよく、後者の場合には、非常に高い汚れ捕獲能力を発揮することができる。
【００１９】
また、上記の筒状フィルター２は、蛇腹構造をしていてフレキシブルに構成されているので、図示するようにダクト１がフレキシブル管からなるような場合であっても、あるいは、箱形ダクトであっても、その他のダクトであっても、ダクト１の曲がりに追従しながら、ダクト１内で適正な筒状形態を維持することができる。
【００２０】
更に、本実施形態では、ダクト１がフレキシブル管からなっていて、筒状フィルター２が予めダクト１内に備えられたダクト材３を用いてダクト構造を形成しているので、このダクト材３を用いてダクト１の施工をフィルター２の組込みも含めて容易に行うことができる。
【００２１】
以上に、本発明の実施形態を示したが、本発明はこれに限られるものではなく、発明思想を逸脱しない範囲で各種の変更が可能である。例えば、本発明では、筒状フィルターは、ダクトの全長にわたって備えられていてもよいし、ダクトの延びる方向における一部の長さ範囲に備えられていてもよい。また、本発明のダクト構造では、筒状フィルターがダクトとは別にダクト内に設置できるようになされて、フィルターが汚れたらフィルターのみを交換できるように構成されていてもよい。また、本発明は、各種換気用ダクトとして用いることができるし、換気のほか、空気清浄や冷暖房などの空調用ダクト、その他各種の通気用ダクトに広く用いることができるものであることはいうまでもない。
【図面の簡単な説明】
【００２２】
【図１】実施形態のダクト構造を示すもので、ダクトを断面正面、フィルターを正面からみた断面正面図である。
【図２】実施形態のフィルターを示すもので、図（イ）は短縮状態の正面図、図（ハ）は伸長状態の正面図、図（ニ）は屈曲状態の正面図、図（ロ）は側面図である。
【図３】背景技術の示すもので、ダクト構造の断面正面図である。
【符号の説明】
【００２３】
１…ダクト
２…筒状フィルター
３…ダクト材
【図１】
2005106401.tif 000003
【図２】
2005106401.tif 000004
【図３】
2005106401.tif 000005